(57)【要約】【課題】本発明は多機能の車クリーンブラシを開示した。【解決手段】手持ちレバー含み、前記手持ちレバー内で回転本体が回転できるように設置され、前記回転本体の両端には旋転本体が対称的で回転できるように設置され、ここではその片側を例として詳しく紹介し、前記旋転本体には三十六組のクリーンブラシが周方向に均等分布し設置され、前記クリーンブラシが前記旋転本体に設置され、該当装置には角度調節機構が設置される；該当設備は整体構造がより合理で巧妙であり、取り付けと、メンテナンスと点検修理とがいずれも非常に便利で、そしてこの装置は回転機構と反転機構を利用し、装置のクリーニング角度及びクリーニング方向を調整でき、この装置のクリーニング範囲を広められ、本装置のクリーニング効果を高めるため、この装置は高い使用と普及される価値がある。【選択図】図１
2020130979.tif 000002
【特許請求の範囲】
【請求項１】
手持ちレバー含み、前記手持ちレバー内で回転本体が回転できるように設置され、前記回転本体の両端には旋転本体が対称的で回転できるように設置され、ここではその片側を例として詳しく紹介し、前記旋転本体には三十六組のクリーンブラシが周方向に均等分布し設置され、前記クリーンブラシが前記旋転本体に設置され、該当装置には角度調節機構が設置され、前記角度調節機構はウォームホイールやウオームを含み、前記ウォームホイールが前記クリーンブラシ右側末端に固定的に設けられ、前記旋転本体の中には回転従動軸が回転できるように設置され、前記ウオームが前記回転従動軸の外側端壁に固定的に設けられ、前記ウオームが前記ウォームホイールと係合され、前記手持ちレバーの中にには回転動力空間が設置され、前記回転動力空間の中には角度調節動力装置が設置され、前記角度調節動力装置は回転リングギヤと回転動力ギアを含み、前記回転リングギヤが前記回転動力空間の中には設置され、前記回転リングギヤが前記回転動力空間の中に設置され、前記回転動力ギアと前記角度調節機構との間には前記クリーンブラシの角度を調節できる伝動機構が設置され、該当装置には旋転機構が設置され、前記旋転機構は旋転動力軸を含み、その中、前記回転本体の中には旋転動力空間が設置され、前記旋転動力空間の中には左右へ伸びている旋転動力軸が回転できるように設置され、前記旋転動力軸の右側末端には旋転従動傘歯車が固定的に設置され、前記旋転動力軸の左側末端と前記旋転本体の右側端壁とが固定的に接続され、その中に駆動機構は駆動モーター 及び主動力軸を含み、前記手持ちレバーの中には総合動力空間が設置され、前記主動力軸が前記総合動力空間の中に回転できるように設置され、前記駆動モーターが前記総合動力空間の右端端壁の中に固定的に設置され、前記主動力軸の右側末端と前記駆動モーターとが動力が伝達できるように接続され、前記旋転機構と前記駆動機構との間には前記旋転本体を駆動して回転させることができる伝動機構が設置されることを特徴とする多機能の車クリーンブラシ。
【請求項２】
前記主動力軸外側端壁には旋転スリーブ軸がスライドできるように設置され、前記旋転スリーブ軸と前記主動力軸とがスプライン（未表示）により係合され、前記旋転動力空間の中にはを左右へ伸びている旋転マンドレルが回転できるように設置され、前記旋転動力空間 の中にある前記旋転マンドレルの左側末端には旋転主動傘歯車が固定に設置され、前記旋転マンドレルが前記旋転スリーブ軸との係合から離脱され、前記旋転動力空間の中には前後へ伸びている旋転伝達マンドレルが回転できるように設置され、前記旋転伝達マンドレルが前記旋転スリーブ軸との係合から離脱され、前記旋転伝達マンドレルの前側末端には旋転伝達傘歯車が固定的に設置され、前記旋転伝達傘歯車が前記旋転従動傘歯車と前記旋転主動傘歯車とが噛み合い、前記旋転動力空間の中にある前記旋転マンドレルの外側端壁には同期主動傘歯車が固定的に設置され、前記同期主動傘歯車が前記旋転主動傘歯車の右側に位置し、前記旋転動力空間の中には左右へ伸びている旋転同期伝達軸が回転できるように設置され、前記旋転同期伝達軸の左側末端には同期左伝達傘歯車が固定的に設置され、前記旋転同期伝達軸の右側末端には同期右伝達傘歯車が固定的に設置され、前記同期左伝達傘歯車と前記同期主動傘歯車とが噛み合い、右側にある前記旋転本体には同期従動傘歯車が固定的に設置され、前記同期従動傘歯車と前記同期右伝達傘歯車とが噛み合い、左右両側の前記旋転本体を駆動して回転させることに有利で、車の表面を便利にクリーニングできることを特徴とする請求項１に記載の多機能の車クリーンブラシ。
【請求項３】
前記旋転本体の中には回転調節空間が設置され、前記回転調節空間の底端端壁の中には調節伝達空間が設置され、前記調節伝達空間と前記回転調節空間との間には上下へ伸びている回転主動軸が回転できるように設置され、前記回転調節空間の中にある前記回転主動軸の頂部末端には上回転伝達傘歯車が固定的に設置され、前記回転調節空間の中にある前記回転従動軸の右側末端には回転従動傘歯車が固定的に設置され、前記回転従動傘歯車と前記上回転伝達傘歯車とが噛み合い、前記調節伝達空間の中にある前記回転主動軸の右側末端には下回転伝達傘歯車が固定的に設置され、前記調節伝達空間と前記旋転動力空間との間には左右へ伸びている回転入力軸を回転できるように設置され、前記調節伝達空間の中にある前記回転入力軸の左側末端には回転主動傘歯車が固定的に設置され、前記回転主動傘歯車と前記下回転伝達傘歯車とが噛み合い、前記旋転動力空間の中にある前記回転入力軸の右側末端には回転従動プーリが固定的に設置され、前記旋転動力空間の中には左右へ伸びている回転出力軸が回転できるように設置され、前記同期従動傘歯車が前記回転出力軸の外側端壁に回転できるように設置され、前記回転出力軸の右側末端には回転スリーブブロックが固定的に設置され、前記旋転動力空間の中にある前記回転出力軸の左側末端には回転主動プーリが固定的に設置され、前記旋転動力空間の中には左右へ伸びている回転伝達軸が回転できるように設置され、前記回転伝達軸の左側末端には左回転伝達プーリが固定的に設置され、前記左回転伝達プーリと前記回転従動プーリとの間には左回転ベルトが伝動できるように設置され、前記回転伝達軸の右側末端には右回転伝達プーリが固定的に設置され、前記右回転伝達プーリと前記回転主動プーリとの間には右回転ベルトが伝動できるように設置され、前記総合動力空間の中には左右へ伸びている回転スリーブ軸が回転できるように設置され、前記総合動力空間の中にある前記回転スリーブ軸の右側末端には回転従動ギアが固定的に設置され、前記回転スリーブ軸の中には回転マンドレルが左右へスライドできるように設置され、前記回転マンドレルが前記旋転スリーブ軸の外側端壁に設置され、前記回転マンドレルと前記回転スリーブ軸とがスプラインにより（未表示）係合され、前記回転スリーブ軸が前記回転スリーブブロックとの係合から離脱され、前記総合動力空間と前記回転動力空間との間には左右へ伸びている回転動力軸が回転できるように設置され、前記回転動力空間の中にある前記回転動力軸の右側末端と前記回転動力ギアとが固定的に接続され、前記総合動力空間の中にある前記回転動力軸の左側末端には回転主動ギアが固定的に設置され、前記回転主動ギアと前記回転従動ギアとが噛み合い、クリーンブラシのクリーニングする角度を調整することに有利で、本設備のクリーニング範囲を拡大することを特徴とする請求項１に記載の多機能の車クリーンブラシ。
【請求項４】
前記回転動力空間の左側端壁の中には反転動力空間が設置され、前記反転動力空間の中には反転リングギヤが回転できるように設置され、前記反転動力空間の左側端壁の中には下反転伝達空間が設置され、前記下反転伝達空間と前記反転動力空間との間には左右へ伸びている反転動力軸が回転できるように設置され、前記反転動力軸が前記回転動力軸の外側端壁に回転できるように設置され、前記反転動力空間の中にある前記反転動力軸の右側末端には反転動力ギアが固定的に設置され、前記下反転伝達空間の中にある前記反転動力軸の左側末端には反転主動傘歯車が固定的に設けられ、前記下反転伝達空間の頂部端壁の中には上反転伝達空間が設置され、前記上反転伝達空間と前記下反転伝達空間との間には上下へ伸びている反転主動軸が回転できるように設置され、前記下反転伝達空間の中にある前記反転主動軸の底部末端には下反転伝達傘歯車が固定的に設置され、前記下反転伝達傘歯車と前記反転主動傘歯車とが噛み合い、前記上反転伝達空間の中にある前記反転主動軸の頂部末端には上反転伝達傘歯車が固定的に設置され、前記上反転伝達空間の左側端壁の中には反転伝達弁の中には左反転伝達空間が設置され、前記左反転伝達空間と前記上反転伝達空間との間には左右へ伸びている反転伝達軸が回転できるように設置され、前記上反転伝達空間の中にある前記反転伝達軸の右側末端には右反転伝達傘歯車が固定的に設置され、前記右反転伝達傘歯車と上反転伝達傘歯車とが噛み合い、前記左反転伝達空間 の中にある前記反転伝達軸の左側末端には左反転伝達傘歯車が固定的に設置され、前記左反転伝達空間の中には上へ伸びている反転従動軸が回転できるように設置され、前記左反転伝達空間の中にある前記反転従動軸の頂部末端には反転従動傘歯車が固定的に設置され、前記反転従動傘歯車が左反転伝達傘歯車と噛み合い。前記反転従動軸の底部末端と前記回転本体の頂部端壁とが固定的に接続され、前記回転本体の角度を反転させることに有利で、本装置のクリーニング方向を変えることを特徴とする請求項１に記載の多機能の車クリーンブラシ。
【請求項５】
前記下反転伝達空間の底部端壁の中には連接スライド空間が設置され、前記連接スライド空間と前記下反転伝達空間との間には上下へ伸びている連接動力軸が回転できるように設置され、前記下反転伝達空間の中にある前記連接動力軸の頂部末端には連接動力傘歯車が固定的に設置され、前記連接動力傘歯車と前記反転主動傘歯車とが噛合され、前記連接スライド空間の中にある前記連接動力軸の底部末端には連接カムが固定的に設置され、前記連接スライド空間の中には連接レバーが左右へスライドできるように設置され、前記連接レバーの右側末端と前記連接カムとが係合され、前記手持ちレバーの中には連接スライドブロックが左右へスライドできるように設置され、前記連接スライドブロックが前記回転マンドレルの外側端壁に回転できるように設置され、前記連接スライドブロックの右側端壁と前記手持ちレバーの左側端壁との間には圧着バネが弾力的に設置され、前記連接レバーの左側末端と前記連接スライドブロックの右側末端とが固定的に接続され、動力を本設備のクリーンブラシのところに伝達することに有利であることを特徴とする請求項１に記載の多機能の車クリーンブラシ。
【発明の詳細な説明】
【技術分野】
【０００１】
本発明は車設備分野に関わり、具体的には多機能の車クリーンブラシである。
【背景技術】
【０００２】
社会の発展とともに、人々の経済能力がますます良くなり、したがって自用車を持つ人が多くなり、しかし車をしばらく使用した後、車の内部には汚れやほこりが付き、車の美観に影響し、そのため、定期に車の内部と外部をクリーニングする必要がある。
目下、車の内部に対するクリーニングは清水で洗うのが多く、またクリーンブラシを利用してクリーニングし、内部に対するクリーニングのステップは煩雑で、車内部の傾斜角度が異なり、クリーニングする人はクリーニングする過程が煩雑で、クリーニング効率の比較的に低く、またクリーニング効果が良くない。
したがって、現有の技術の車クリーンブラシに対してさらなる改善を行う必要があり、それによりクリーニング効率とクリーニング効果を高める。
【先行技術文献】
【特許文献】
【０００３】
【特許文献１】中国特許出願公開第106379282号明細書
【発明の概要】
【発明が解決しようとする課題】
【０００４】
本発明は多機能の車クリーンブラシを提供し、現有の技術の上記欠点を克服し、クリーニング効率とクリーニング効果を高めることを目的とする。
【課題を解決するための手段】
【０００５】
本発明による多機能の車クリーンブラシは、手持ちレバー含み、前記手持ちレバー内で回転本体が回転できるように設置され、前記回転本体の両端には旋転本体が対称的で回転できるように設置され、ここではその片側を例として詳しく紹介し、前記旋転本体には三十六組のクリーンブラシが周方向に均等分布し設置され、前記クリーンブラシが前記旋転本体に設置され、該当装置には角度調節機構が設置され、前記角度調節機構はウォームホイールやウオームを含み、前記ウォームホイールが前記クリーンブラシ右側末端に固定的に設けられ、前記旋転本体の中には回転従動軸が回転できるように設置され、前記ウオームが前記回転従動軸の外側端壁に固定的に設けられ、前記ウオームが前記ウォームホイールと係合され、前記手持ちレバーの中にには回転動力空間が設置され、前記回転動力空間の中には角度調節動力装置が設置され、前記角度調節動力装置は回転リングギヤと回転動力ギアを含み、前記回転リングギヤが前記回転動力空間の中には設置され、前記回転リングギヤが前記回転動力空間の中に設置され、前記回転動力ギアと前記角度調節機構との間には前記クリーンブラシの角度を調節できる伝動機構が設置され、該当装置には旋転機構が設置され、前記旋転機構は旋転動力軸を含み、その中、前記回転本体の中には旋転動力空間が設置され、前記旋転動力空間の中には左右へ伸びている旋転動力軸が回転できるように設置され、前記旋転動力軸の右側末端には旋転従動傘歯車が固定的に設置され、前記旋転動力軸の左側末端と前記旋転本体の右側端壁とが固定的に接続され、その中に駆動機構は駆動モーター 及び主動力軸を含み、前記手持ちレバーの中には総合動力空間が設置され、前記主動力軸が前記総合動力空間の中に回転できるように設置され、前記駆動モーターが前記総合動力空間の右端端壁の中に固定的に設置され、前記主動力軸の右側末端と前記駆動モーターとが動力が伝達できるように接続され、前記旋転機構と前記駆動機構との間には前記旋転本体を駆動して回転させることができる伝動機構が設置される。
【０００６】
好ましくは、前記主動力軸外側端壁には旋転スリーブ軸がスライドできるように設置され、前記旋転スリーブ軸と前記主動力軸とがスプライン（未表示）により係合され、前記旋転動力空間の中にはを左右へ伸びている旋転マンドレルが回転できるように設置され、前記旋転動力空間 の中にある前記旋転マンドレルの左側末端には旋転主動傘歯車が固定に設置され、前記旋転マンドレルが前記旋転スリーブ軸との係合から離脱され、前記旋転動力空間の中には前後へ伸びている旋転伝達マンドレルが回転できるように設置され、前記旋転伝達マンドレルが前記旋転スリーブ軸との係合から離脱され、前記旋転伝達マンドレルの前側末端には旋転伝達傘歯車が固定的に設置され、前記旋転伝達傘歯車が前記旋転従動傘歯車と前記旋転主動傘歯車とが噛み合い、前記旋転動力空間の中にある前記旋転マンドレルの外側端壁には同期主動傘歯車が固定的に設置され、前記同期主動傘歯車が前記旋転主動傘歯車の右側に位置し、前記旋転動力空間の中には左右へ伸びている旋転同期伝達軸が回転できるように設置され、前記旋転同期伝達軸の左側末端には同期左伝達傘歯車が固定的に設置され、前記旋転同期伝達軸の右側末端には同期右伝達傘歯車が固定的に設置され、前記同期左伝達傘歯車と前記同期主動傘歯車とが噛み合い、右側にある前記旋転本体には同期従動傘歯車が固定的に設置され、前記同期従動傘歯車と前記同期右伝達傘歯車とが噛み合い、左右両側の前記旋転本体を駆動して回転させることに有利で、車の表面を便利にクリーニングできる。
【０００７】
好ましくは、前記旋転本体の中には回転調節空間が設置され、前記回転調節空間の底端端壁の中には調節伝達空間が設置され、前記調節伝達空間と前記回転調節空間との間には上下へ伸びている回転主動軸が回転できるように設置され、前記回転調節空間の中にある前記回転主動軸の頂部末端には上回転伝達傘歯車が固定的に設置され、前記回転調節空間の中にある前記回転従動軸の右側末端には回転従動傘歯車が固定的に設置され、前記回転従動傘歯車と前記上回転伝達傘歯車とが噛み合い、前記調節伝達空間の中にある前記回転主動軸の右側末端には下回転伝達傘歯車が固定的に設置され、前記調節伝達空間と前記旋転動力空間との間には左右へ伸びている回転入力軸を回転できるように設置され、前記調節伝達空間の中にある前記回転入力軸の左側末端には回転主動傘歯車が固定的に設置され、前記回転主動傘歯車と前記下回転伝達傘歯車とが噛み合い、前記旋転動力空間の中にある前記回転入力軸の右側末端には回転従動プーリが固定的に設置され、前記旋転動力空間の中には左右へ伸びている回転出力軸が回転できるように設置され、前記同期従動傘歯車が前記回転出力軸の外側端壁に回転できるように設置され、前記回転出力軸の右側末端には回転スリーブブロックが固定的に設置され、前記旋転動力空間の中にある前記回転出力軸の左側末端には回転主動プーリが固定的に設置され、前記旋転動力空間の中には左右へ伸びている回転伝達軸が回転できるように設置され、前記回転伝達軸の左側末端には左回転伝達プーリが固定的に設置され、前記左回転伝達プーリと前記回転従動プーリとの間には左回転ベルトが伝動できるように設置され、前記回転伝達軸の右側末端には右回転伝達プーリが固定的に設置され、前記右回転伝達プーリと前記回転主動プーリとの間には右回転ベルトが伝動できるように設置され、前記総合動力空間の中には左右へ伸びている回転スリーブ軸が回転できるように設置され、前記総合動力空間の中にある前記回転スリーブ軸の右側末端には回転従動ギアが固定的に設置され、前記回転スリーブ軸の中には回転マンドレルが左右へスライドできるように設置され、前記回転マンドレルが前記旋転スリーブ軸の外側端壁に設置され、前記回転マンドレルと前記回転スリーブ軸とがスプラインにより（未表示）係合され、前記回転スリーブ軸が前記回転スリーブブロックとの係合から離脱され、前記総合動力空間と前記回転動力空間との間には左右へ伸びている回転動力軸が回転できるように設置され、前記回転動力空間の中にある前記回転動力軸の右側末端と前記回転動力ギアとが固定的に接続され、前記総合動力空間の中にある前記回転動力軸の左側末端には回転主動ギアが固定的に設置され、前記回転主動ギアと前記回転従動ギアとが噛み合い、クリーンブラシのクリーニングする角度を調整することに有利で、本設備のクリーニング範囲を拡大する。
【０００８】
好ましくは、前記回転動力空間の左側端壁の中には反転動力空間が設置され、前記反転動力空間の中には反転リングギヤが回転できるように設置され、前記反転動力空間の左側端壁の中には下反転伝達空間が設置され、前記下反転伝達空間と前記反転動力空間との間には左右へ伸びている反転動力軸が回転できるように設置され、前記反転動力軸が前記回転動力軸の外側端壁に回転できるように設置され、前記反転動力空間の中にある前記反転動力軸の右側末端には反転動力ギアが固定的に設置され、前記下反転伝達空間の中にある前記反転動力軸の左側末端には反転主動傘歯車が固定的に設けられ、前記下反転伝達空間の頂部端壁の中には上反転伝達空間が設置され、前記上反転伝達空間と前記下反転伝達空間との間には上下へ伸びている反転主動軸が回転できるように設置され、前記下反転伝達空間の中にある前記反転主動軸の底部末端には下反転伝達傘歯車が固定的に設置され、前記下反転伝達傘歯車と前記反転主動傘歯車とが噛み合い、前記上反転伝達空間の中にある前記反転主動軸の頂部末端には上反転伝達傘歯車が固定的に設置され、前記上反転伝達空間の左側端壁の中には反転伝達弁の中には左反転伝達空間が設置され、前記左反転伝達空間と前記上反転伝達空間との間には左右へ伸びている反転伝達軸が回転できるように設置され、前記上反転伝達空間の中にある前記反転伝達軸の右側末端には右反転伝達傘歯車が固定的に設置され、前記右反転伝達傘歯車と上反転伝達傘歯車とが噛み合い、前記左反転伝達空間 の中にある前記反転伝達軸の左側末端には左反転伝達傘歯車が固定的に設置され、前記左反転伝達空間の中には上へ伸びている反転従動軸が回転できるように設置され、前記左反転伝達空間の中にある前記反転従動軸の頂部末端には反転従動傘歯車が固定的に設置され、前記反転従動傘歯車が左反転伝達傘歯車と噛み合い。前記反転従動軸の底部末端と前記回転本体の頂部端壁とが固定的に接続され、前記回転本体の角度を反転させることに有利で、本装置のクリーニング方向を変える。
【０００９】
好ましくは、前記下反転伝達空間の底部端壁の中には連接スライド空間が設置され、前記連接スライド空間と前記下反転伝達空間との間には上下へ伸びている連接動力軸が回転できるように設置され、前記下反転伝達空間の中にある前記連接動力軸の頂部末端には連接動力傘歯車が固定的に設置され、前記連接動力傘歯車と前記反転主動傘歯車とが噛合され、前記連接スライド空間の中にある前記連接動力軸の底部末端には連接カムが固定的に設置され、前記連接スライド空間の中には連接レバーが左右へスライドできるように設置され、前記連接レバーの右側末端と前記連接カムとが係合され、前記手持ちレバーの中には連接スライドブロックが左右へスライドできるように設置され、前記連接スライドブロックが前記回転マンドレルの外側端壁に回転できるように設置され、前記連接スライドブロックの右側端壁と前記手持ちレバーの左側端壁との間には圧着バネが弾力的に設置され、前記連接レバーの左側末端と前記連接スライドブロックの右側末端とが固定的に接続され、動力を本設備のクリーンブラシのところに伝達することに有利である。
【発明の効果】
【００１０】
該当設備は全体の構造から見ればより合理で巧妙であり、取り付けと、メンテナンスと点検修理とがいずれも非常に便利で、そしてこの装置は回転機構と反転機構を利用し、装置のクリーニング角度及びクリーニング方向を調整でき、この装置のクリーニング範囲を広められ、本装置のクリーニング効果を高めるため、この装置は高い使用と普及される価値がある。
【図面の簡単な説明】
【００１１】
発明の実施例または既存の技術の中の技術方案をより詳しく説明できるため、下記には実施例または既存の技術を説明することに必要な付図に対して簡単に紹介し、明らかなように、下記に記載の付図はただ発明の一部分の実施例であり、当業者にとって、創造的な労働を払わなくても、これらの付図に基づいて他の付図を獲得することができる。
【００１２】
【図１】図１は本発明の多機能の車クリーンブラシの総体構造概略図である。
【図２】図２は図１のAのところの構造概略図である。
【図３】図３は図２のBのところの構造概略図である。
【発明を実施するための形態】
【００１３】
相互排斥する特徴またはステップ以外に、本説明書に公開したすべての特徴、若しくは公開したすべての方法または過程中のステップはいずれもあらゆる方式で組み合わせることができる。
【００１４】
本説明書に公開したすべての特徴は、特別な説明を除き、いずれも他の同等または類似の目的がある代わり特徴に代われることができ、即ち、特別な説明を除き、全ての特徴はただ一連の同等のまたは類似の特徴の中の一例である。
【００１５】
本発明の叙述では、理解が必要なのは、「中心」、「縦」、「横」、「長さ」、「広さ」、「厚さ」、「上」、「下」、「前」、「後」、「右」、「左」、「鉛直」、「水平」、「頂」、「底」、「内」と「外」、「時計回り」、「逆時計回り」などの用語が指示された方位や位置関係は付図に基づいての方位や位置関係であり、本発明の叙述に便利でまた描写の簡素化だけのため、示す設備又は部品は特定の方位があり、特定された方位で組み立てされまた操作されることではなく、したがって、本発明を限定するものと理解できない。
【００１６】
図1ー3のとおり、本発明は多機能の車クリーンブラシであり、手持ちレバー143含み、前記手持ちレバー143内で回転本体142が回転できるように設置され、前記回転本体142の両端には旋転本体141が対称的で回転できるように設置され、ここではその片側を例として詳しく紹介し、前記旋転本体141には三十六組のクリーンブラシ111が周方向に均等分布し設置され、前記クリーンブラシ111が前記旋転本体141に設置され、該当装置には角度調節機構が設置され、前記角度調節機構はウォームホイール112やウオーム113を含み、前記ウォームホイール112が前記クリーンブラシ111右側末端に固定的に設けられ、前記旋転本体141の中には回転従動軸147が回転できるように設置され、前記ウオーム113が前記回転従動軸147の外側端壁に固定的に設けられ、前記ウオーム113が前記ウォームホイール112と係合され、前記手持ちレバー143の中にには回転動力空間179が設置され、前記回転動力空間179の中には角度調節動力装置が設置され、前記角度調節動力装置は回転リングギヤ130と回転動力ギア131を含み、前記回転リングギヤ130が前記回転動力空間179の中には設置され、前記回転リングギヤ130が前記回転動力空間179の中に設置され、前記回転動力ギア131と前記角度調節機構との間には前記クリーンブラシ111の角度を調節できる伝動機構が設置され、該当装置には旋転機構が設置され、前記旋転機構は旋転動力軸155を含み、その中、前記回転本体142の中には旋転動力空間170が設置され、前記旋転動力空間170の中には左右へ伸びている旋転動力軸155が回転できるように設置され、前記旋転動力軸155の右側末端には旋転従動傘歯車157が固定的に設置され、前記旋転動力軸155の左側末端と前記旋転本体141の右側端壁とが固定的に接続され、その中に駆動機構は駆動モーター 137及び主動力軸138を含み、前記手持ちレバー143の中には総合動力空間176が設置され、前記主動力軸138が前記総合動力空間176の中に回転できるように設置され、前記駆動モーター137が前記総合動力空間176の右端端壁の中に固定的に設置され、前記主動力軸138の右側末端と前記駆動モーター137とが動力が伝達できるように接続され、前記旋転機構と前記駆動機構との間には前記旋転本体141を駆動して回転させることができる伝動機構が設置される。
【００１７】
有益なように、図1−図3を参照して本申請の旋転機構を詳しく紹介し、その中、前記主動力軸138外側端壁には旋転スリーブ軸174がスライドできるように設置され、前記旋転スリーブ軸174と前記主動力軸138とがスプライン（未表示）により係合され、前記旋転動力空間170の中にはを左右へ伸びている旋転マンドレル181が回転できるように設置され、前記旋転動力空間170 の中にある前記旋転マンドレル181の左側末端には旋転主動傘歯車160が固定に設置され、前記旋転マンドレル181が前記旋転スリーブ軸174との係合から離脱され、前記旋転動力空間170の中には前後へ伸びている旋転伝達マンドレル158が回転できるように設置され、前記旋転伝達マンドレル158が前記旋転スリーブ軸174との係合から離脱され、前記旋転伝達マンドレル158の前側末端には旋転伝達傘歯車159が固定的に設置され、前記旋転伝達傘歯車159が前記旋転従動傘歯車157と前記旋転主動傘歯車160とが噛み合い、前記旋転動力空間170の中にある前記旋転マンドレル181の外側端壁には同期主動傘歯車162が固定的に設置され、前記同期主動傘歯車162が前記旋転主動傘歯車160の右側に位置し、前記旋転動力空間170の中には左右へ伸びている旋転同期伝達軸163が回転できるように設置され、前記旋転同期伝達軸163の左側末端には同期左伝達傘歯車161が固定的に設置され、前記旋転同期伝達軸163の右側末端には同期右伝達傘歯車165が固定的に設置され、前記同期左伝達傘歯車161と前記同期主動傘歯車162とが噛み合い、右側にある前記旋転本体141には同期従動傘歯車166が固定的に設置され、前記同期従動傘歯車166と前記同期右伝達傘歯車165とが噛み合い、左右両側の前記旋転本体141を駆動して回転させることに有利で、車の表面を便利にクリーニングできる。
【００１８】
有益なように、図1−図3を参照して本申請の角度調節機構を詳しく紹介し、その中、前記旋転本体141の中には回転調節空間145が設置され、前記回転調節空間145の底端端壁の中には調節伝達空間172が設置され、前記調節伝達空間172と前記回転調節空間145との間には上下へ伸びている回転主動軸148が回転できるように設置され、前記回転調節空間145の中にある前記回転主動軸148の頂部末端には上回転伝達傘歯車144が固定的に設置され、前記回転調節空間145の中にある前記回転従動軸147の右側末端には回転従動傘歯車146が固定的に設置され、前記回転従動傘歯車146と前記上回転伝達傘歯車144とが噛み合い、前記調節伝達空間172の中にある前記回転主動軸148の右側末端には下回転伝達傘歯車152が固定的に設置され、前記調節伝達空間172と前記旋転動力空間170との間には左右へ伸びている回転入力軸154を回転できるように設置され、前記調節伝達空間172の中にある前記回転入力軸154の左側末端には回転主動傘歯車153が固定的に設置され、前記回転主動傘歯車153と前記下回転伝達傘歯車152とが噛み合い、前記旋転動力空間170の中にある前記回転入力軸154の右側末端には回転従動プーリ156が固定的に設置され、前記旋転動力空間170の中には左右へ伸びている回転出力軸167が回転できるように設置され、前記同期従動傘歯車166が前記回転出力軸167の外側端壁に回転できるように設置され、前記回転出力軸167の右側末端には回転スリーブブロック168が固定的に設置され、前記旋転動力空間170の中にある前記回転出力軸167の左側末端には回転主動プーリ164が固定的に設置され、前記旋転動力空間170の中には左右へ伸びている回転伝達軸150が回転できるように設置され、前記回転伝達軸150の左側末端には左回転伝達プーリ149が固定的に設置され、前記左回転伝達プーリ149と前記回転従動プーリ156との間には左回転ベルト151が伝動できるように設置され、前記回転伝達軸150の右側末端には右回転伝達プーリ171が固定的に設置され、前記右回転伝達プーリ171と前記回転主動プーリ164との間には右回転ベルト169が伝動できるように設置され、前記総合動力空間176の中には左右へ伸びている回転スリーブ軸175が回転できるように設置され、前記総合動力空間176の中にある前記回転スリーブ軸175の右側末端には回転従動ギア178が固定的に設置され、前記回転スリーブ軸175の中には回転マンドレル173が左右へスライドできるように設置され、前記回転マンドレル173が前記旋転スリーブ軸174の外側端壁に設置され、前記回転マンドレル173と前記回転スリーブ軸175とがスプラインにより（未表示）係合され、前記回転スリーブ軸175が前記回転スリーブブロック168との係合から離脱され、前記総合動力空間176と前記回転動力空間179との間には左右へ伸びている回転動力軸127が回転できるように設置され、前記回転動力空間179の中にある前記回転動力軸127の右側末端と前記回転動力ギア131とが固定的に接続され、前記総合動力空間176の中にある前記回転動力軸127の左側末端には回転主動ギア177が固定的に設置され、前記回転主動ギア177と前記回転従動ギア178とが噛み合い、クリーンブラシ111のクリーニングする角度を調整することに有利で、本設備のクリーニング範囲を拡大する。
【００１９】
有益なように、図1ー図3を参考して本申請の反転機構を詳しく紹介し、この中、前記回転動力空間179の左側端壁の中には反転動力空間180が設置され、前記反転動力空間180の中には反転リングギヤ128が回転できるように設置され、前記反転動力空間180の左側端壁の中には下反転伝達空間124が設置され、前記下反転伝達空間124と前記反転動力空間180との間には左右へ伸びている反転動力軸126が回転できるように設置され、前記反転動力軸126が前記回転動力軸127の外側端壁に回転できるように設置され、前記反転動力空間180の中にある前記反転動力軸126の右側末端には反転動力ギア129が固定的に設置され、前記下反転伝達空間124の中にある前記反転動力軸126の左側末端には反転主動傘歯車125が固定的に設けられ、前記下反転伝達空間124の頂部端壁の中には上反転伝達空間120が設置され、前記上反転伝達空間120と前記下反転伝達空間124との間には上下へ伸びている反転主動軸122が回転できるように設置され、前記下反転伝達空間124の中にある前記反転主動軸122の底部末端には下反転伝達傘歯車123が固定的に設置され、前記下反転伝達傘歯車123と前記反転主動傘歯車125とが噛み合い、前記上反転伝達空間120の中にある前記反転主動軸122の頂部末端には上反転伝達傘歯車121が固定的に設置され、前記上反転伝達空間120の左側端壁の中には反転伝達弁の中には左反転伝達空間116が設置され、前記左反転伝達空間116と前記上反転伝達空間120との間には左右へ伸びている反転伝達軸118が回転できるように設置され、前記上反転伝達空間120の中にある前記反転伝達軸118の右側末端には右反転伝達傘歯車119が固定的に設置され、前記右反転伝達傘歯車119と上反転伝達傘歯車121とが噛み合い、前記左反転伝達空間116 の中にある前記反転伝達軸118の左側末端には左反転伝達傘歯車117が固定的に設置され、前記左反転伝達空間116の中には上へ伸びている反転従動軸114が回転できるように設置され、前記左反転伝達空間116の中にある前記反転従動軸114の頂部末端には反転従動傘歯車115が固定的に設置され、前記反転従動傘歯車115が左反転伝達傘歯車117と噛み合い。前記反転従動軸114の底部末端と前記回転本体142の頂部端壁とが固定的に接続され、前記回転本体142の角度を反転させることに有利で、本装置のクリーニング方向を変える。
【００２０】
有益なように、図1ー図3を参考して本申請の連接機構を詳しく紹介し、この中、前記下反転伝達空間124の底部端壁の中には連接スライド空間135が設置され、前記連接スライド空間135と前記下反転伝達空間124との間には上下へ伸びている連接動力軸133が回転できるように設置され、前記下反転伝達空間124の中にある前記連接動力軸133の頂部末端には連接動力傘歯車132が固定的に設置され、前記連接動力傘歯車132と前記反転主動傘歯車125とが噛合され、前記連接スライド空間135の中にある前記連接動力軸133の底部末端には連接カム134が固定的に設置され、前記連接スライド空間135の中には連接レバー136が左右へスライドできるように設置され、前記連接レバー136の右側末端と前記連接カム134とが係合され、前記手持ちレバー143の中には連接スライドブロック139が左右へスライドできるように設置され、前記連接スライドブロック139が前記回転マンドレル173の外側端壁に回転できるように設置され、前記連接スライドブロック139の右側端壁と前記手持ちレバー143の左側端壁との間には圧着バネ184が弾力的に設置され、前記連接レバー136の左側末端と前記連接スライドブロック139の右側末端とが固定的に接続され、動力を本設備のクリーンブラシのところに伝達することに有利である。
【００２１】
下記に、出願人は図1 −3と上記に記載の本願の多機能の車クリーンブラシの具体的な構成を参考してクリーン・ブラシの使用ステップを詳しく紹介する：まず、初期状態にある時、前記連接カム134が前記連接レバー136との係合から離脱され、前記連接スライドブロック 139と右側にある前記旋転本体141とが係合され、前記旋転マンドレル181と前記旋転スリーブ軸174とが係合され、前記回転マンドレル173と前記回転スリーブブロック168とが係合される;
【００２２】
該当装置を使う時、前記駆動モーター137が作動し始め、前記駆動モーター137が前記主動力軸138を駆動して回転させ、前記主動力軸138が前記旋転スリーブ軸174を駆動して回転させ、前記旋転スリーブ軸174が前記旋転マンドレル181を駆動して回転させ、前記旋転マンドレル181が前記旋転主動傘歯車160を駆動して回転させ、前記旋転主動傘歯車160が前記旋転伝達傘歯車159を駆動して回転させ、前記旋転伝達傘歯車159が前記旋転従動傘歯車157を駆動して回転させ、前記旋転従動傘歯車157が前記旋転動力軸155を駆動して回転させ、前記旋転動力軸155が前旋転本体141を駆動して回転させ、それと同時に、前記旋転マンドレル181が前記同期主動傘歯車162を駆動して回転させ、前記同期主動傘歯車162が前記同期左伝達傘歯車161を駆動して回転させ、前記同期左伝達傘歯車161が前記旋転同期伝達軸163を駆動して回転させ、前記旋転同期伝達軸163が前記同期右伝達傘歯車165を駆動して回転させ、前記同期右伝達傘歯車165が前記同期従動傘歯車166を駆動して回転させ、前記同期従動傘歯車166が右側の前記旋転本体141を駆動して回転させ、前記旋転本体141が車の表面をクリーニングする。
【００２３】
クリーンブラシの角度を変える時に、使用者は前記回転リングギヤ130を回転させ、前記回転リングギヤ130が前記回転動力ギア131を駆動して回転させ、前記回転動力ギア131が前記回転動力軸127を駆動して回転させ、前記回転動力軸127が前記回転主動ギア177を駆動して回転させ、前記回転主動ギア177が前記回転従動ギア178を駆動して回転させ、前記回転従動ギア178が前記回転スリーブ軸175を駆動して回転させ、前記回転スリーブ軸175が前記回転マンドレル173を駆動して回転させ、前記回転マンドレル173が前記回転スリーブブロック168を駆動して回転させ、前記回転スリーブブロック168が前記回転出力軸167を駆動して回転させ、前記回転出力軸167が前記回転主動プーリ164を駆動して回転させ、前記回転主動プーリ164が前記右回転伝達プーリ171を駆動して回転させ、前記右回転伝達プーリ171が前記回転伝達軸150を駆動して回転させ、前記回転伝達軸150が前記左回転伝達プーリ149を駆動して回転させ、前記左回転伝達プーリ149が前記回転従動プーリ156を駆動して回転させ、前記回転従動プーリ156が前記回転入力軸154を駆動して回転させ、前記回転入力軸154が前記回転主動傘歯車153を駆動して回転させ、前記回転主動傘歯車153が前記下回転伝達傘歯車152を駆動して回転させ、前記下回転伝達傘歯車152が前記回転主動軸148を駆動して回転させ、前記回転主動軸148が前記上回転伝達傘歯車144を駆動して回転させ、前記上回転伝達傘歯車144が前記回転従動傘歯車146を駆動して回転させ、前記回転従動傘歯車146が前記回転従動軸147を駆動して回転させ、前記回転従動軸147が前記ウオーム113を駆動して回転させ、前記ウオーム113が前記ウォームホイール112を駆動して回転させ、前記ウォームホイール112がクリーンブラシ111を駆動して回転させ、クリーンブラシのクリーニング角度を変える。
【００２４】
クリーンブラシを反転する時に、使用者が前記反転リングギヤ128を回転させ、前記反転リングギヤ128が前記反転動力ギア129を駆動して回転させ、前記反転動力ギア129が前記反転動力軸126を駆動して回転させ、前記反転動力軸126が前記反転主動傘歯車125を駆動して回転させ、前記反転主動傘歯車125が前記連接動力傘歯車132を駆動して回転させ、前記連接動力傘歯車132が前記連接動力軸133を駆動して回転させ、前記連接動力軸133が前記連接カム軸134を駆動して回転させ、前記連接カム134と前記連接レバー136とが係合され、前記連接カム134が前記連接レバー136を連動させて右側へスライドさせ、前記連接レバー136が前記スライドブロック139を連動させて右側へスライドさせ、前記連接スライドブロック139が旋転本体141との係合から離脱され、前記連接スライドブロック139が前記回転マンドレル173及び前記旋転スリーブ軸174を連動させて右側にスライドさせ、前記回転マンドレル173が前記回転スリーブブロック168との係合から離脱され、前記旋転スリーブ軸174が前記旋転マンドレル181との係合から離脱され、それと同時に、前記反転主動傘歯車125が前記下反転伝達傘歯車123を駆動して回転させ、前記下反転伝達傘歯車123が前記反転主動軸122を駆動して回転させ、前記反転主動軸122が前記上反転伝達傘歯車121を駆動して回転させ、前記上反転伝達傘歯車121が前記右反転伝達傘歯車119を駆動して回転させ、前記右反転伝達傘歯車119が前記反転伝達軸118を駆動して回転させ、前記反転伝達軸118が前記反転従動傘歯車115を駆動して回転させ、前記反転従動傘歯車115が前記反転従動軸114を駆動して回転させ、前記反転従動軸114が前記回転本体142を駆動して回転させ、前記回転本体142が前記旋転本体141を駆動して回転させ、前記回転本体142 を九十度に回転させた時、前記連接カム134が前記連接レバー136との係合から離脱され、前記連接スライドブロック139が前記連接圧着バネ184の弾力エネルギーの作用により左側へスライドし、前記連接スライドブロック139が前記回転マンドレル173と前記旋転スリーブ軸174とを連動させて左側へスライドさせ、前記連接スライドブロック139と前記回転本体142とが係合され、前記旋転スリーブ軸174と前記旋転伝達マンドレル158とが係合され、本装置のクリーニング方向を変える。
【００２５】
上記の詳細な分析から見るとわかるのは：回転機構がクリーンブラシの角度を手動で調整することによって、クリーニング効果が向上し、また反転機構を利用でき、操作者が手動で該当装置のクリーニング方向を調整でき、該当装置のクリーニング範囲を広められる。
【００２６】
したがって、本申請の方法は全体の構造から見ればより合理で巧妙であり、取り付けと、メンテナンスと点検修理とがいずれも非常に便利で、そしてこの装置は回転機構と反転機構を利用し、装置のクリーニング角度及びクリーニング方向を調整でき、この装置のクリーニング範囲を広められ、本装置のクリーニング効果を高めるため、この装置は高い使用と普及される価値がある。
【００２７】
上記の記載は、ただ発明の具体的な実施方式であり、しかし発明の保護範囲はこれに限定されたものではなく、創造的な労働を通さなく想到できる全ての変化又は入れ替わりは、本発明の保護範囲の中に含む。したがって、発明の保護範囲は請求項に限定した保護範囲を基準とするべきである。
【図１】
2020130979.tif 000003
【図２】
2020130979.tif 000004
【図３】
2020130979.tif 000005
【手続補正書】
【提出日】令和2年6月24日(2020.6.24)
【手続補正１】
【補正対象書類名】特許請求の範囲
【補正対象項目名】全文
【補正方法】変更
【補正の内容】
【特許請求の範囲】
【請求項１】
手持ちレバー含み、前記手持ちレバー内で回転本体が回転できるように設置され、前記回転本体の両端には旋転本体が対称的で回転できるように設置され、ここではその片側を例として詳しく紹介し、前記旋転本体には三十六組のクリーンブラシが周方向に均等分布し設置され、前記クリーンブラシが前記旋転本体に設置され、該当装置には角度調節機構が設置され、前記角度調節機構はウォームホイールやウオームを含み、前記ウォームホイールが前記クリーンブラシ右側末端に固定的に設けられ、前記旋転本体の中には回転従動軸が回転できるように設置され、前記ウオームが前記回転従動軸の外側端壁に固定的に設けられ、前記ウオームが前記ウォームホイールと係合され、前記手持ちレバーの中にには回転動力空間が設置され、前記回転動力空間の中には角度調節動力装置が設置され、前記角度調節動力装置は回転リングギヤと回転動力ギアを含み、前記回転リングギヤが前記回転動力空間の中には設置され、前記回転リングギヤが前記回転動力空間の中に設置され、前記回転動力ギアと前記角度調節機構との間には前記クリーンブラシの角度を調節できる伝動機構が設置され、該当装置には旋転機構が設置され、前記旋転機構は旋転動力軸を含み、その中、前記回転本体の中には旋転動力空間が設置され、前記旋転動力空間の中には左右へ伸びている旋転動力軸が回転できるように設置され、前記旋転動力軸の右側末端には旋転従動傘歯車が固定的に設置され、前記旋転動力軸の左側末端と前記旋転本体の右側端壁とが固定的に接続され、その中に駆動機構は駆動モーター 及び主動力軸を含み、前記手持ちレバーの中には総合動力空間が設置され、前記主動力軸が前記総合動力空間の中に回転できるように設置され、前記駆動モーターが前記総合動力空間の右端端壁の中に固定的に設置され、前記主動力軸の右側末端と前記駆動モーターとが動力が伝達できるように接続され、前記旋転機構と前記駆動機構との間には前記旋転本体を駆動して回転させることができる伝動機構が設置されることを特徴とする多機能の車クリーンブラシ。
【請求項２】
前記主動力軸外側端壁には旋転スリーブ軸がスライドできるように設置され、前記旋転スリーブ軸と前記主動力軸とがスプラインにより連結され、前記旋転動力空間の中にはを左右へ伸びている旋転マンドレルが回転できるように設置され、前記旋転動力空間 の中にある前記旋転マンドレルの左側末端には旋転主動傘歯車が固定に設置され、前記旋転マンドレルが前記旋転スリーブ軸との係合から離脱され、前記旋転動力空間の中には前後へ伸びている旋転伝達マンドレルが回転できるように設置され、前記旋転伝達マンドレルが前記旋転スリーブ軸との係合から離脱され、前記旋転伝達マンドレルの前側末端には旋転伝達傘歯車が固定的に設置され、前記旋転伝達傘歯車が前記旋転従動傘歯車と前記旋転主動傘歯車とが噛み合い、前記旋転動力空間の中にある前記旋転マンドレルの外側端壁には同期主動傘歯車が固定的に設置され、前記同期主動傘歯車が前記旋転主動傘歯車の右側に位置し、前記旋転動力空間の中には左右へ伸びている旋転同期伝達軸が回転できるように設置され、前記旋転同期伝達軸の左側末端には同期左伝達傘歯車が固定的に設置され、前記旋転同期伝達軸の右側末端には同期右伝達傘歯車が固定的に設置され、前記同期左伝達傘歯車と前記同期主動傘歯車とが噛み合い、右側にある前記旋転本体には同期従動傘歯車が固定的に設置され、前記同期従動傘歯車と前記同期右伝達傘歯車とが噛み合い、左右両側の前記旋転本体を駆動して回転させることに有利で、車の表面を便利にクリーニングできることを特徴とする請求項１に記載の多機能の車クリーンブラシ。
【請求項３】
前記旋転本体の中には回転調節空間が設置され、前記回転調節空間の底端端壁の中には調節伝達空間が設置され、前記調節伝達空間と前記回転調節空間との間には上下へ伸びている回転主動軸が回転できるように設置され、前記回転調節空間の中にある前記回転主動軸の頂部末端には上回転伝達傘歯車が固定的に設置され、前記回転調節空間の中にある前記回転従動軸の右側末端には回転従動傘歯車が固定的に設置され、前記回転従動傘歯車と前記上回転伝達傘歯車とが噛み合い、前記調節伝達空間の中にある前記回転主動軸の右側末端には下回転伝達傘歯車が固定的に設置され、前記調節伝達空間と前記旋転動力空間との間には左右へ伸びている回転入力軸を回転できるように設置され、前記調節伝達空間の中にある前記回転入力軸の左側末端には回転主動傘歯車が固定的に設置され、前記回転主動傘歯車と前記下回転伝達傘歯車とが噛み合い、前記旋転動力空間の中にある前記回転入力軸の右側末端には回転従動プーリが固定的に設置され、前記旋転動力空間の中には左右へ伸びている回転出力軸が回転できるように設置され、前記同期従動傘歯車が前記回転出力軸の外側端壁に回転できるように設置され、前記回転出力軸の右側末端には回転スリーブブロックが固定的に設置され、前記旋転動力空間の中にある前記回転出力軸の左側末端には回転主動プーリが固定的に設置され、前記旋転動力空間の中には左右へ伸びている回転伝達軸が回転できるように設置され、前記回転伝達軸の左側末端には左回転伝達プーリが固定的に設置され、前記左回転伝達プーリと前記回転従動プーリとの間には左回転ベルトが伝動できるように設置され、前記回転伝達軸の右側末端には右回転伝達プーリが固定的に設置され、前記右回転伝達プーリと前記回転主動プーリとの間には右回転ベルトが伝動できるように設置され、前記総合動力空間の中には左右へ伸びている回転スリーブ軸が回転できるように設置され、前記総合動力空間の中にある前記回転スリーブ軸の右側末端には回転従動ギアが固定的に設置され、前記回転スリーブ軸の中には回転マンドレルが左右へスライドできるように設置され、前記回転マンドレルが前記旋転スリーブ軸の外側端壁に設置され、前記回転マンドレルと前記回転スリーブ軸とがスプラインにより連結され、前記回転スリーブ軸が前記回転スリーブブロックとの係合から離脱され、前記総合動力空間と前記回転動力空間との間には左右へ伸びている回転動力軸が回転できるように設置され、前記回転動力空間の中にある前記回転動力軸の右側末端と前記回転動力ギアとが固定的に接続され、前記総合動力空間の中にある前記回転動力軸の左側末端には回転主動ギアが固定的に設置され、前記回転主動ギアと前記回転従動ギアとが噛み合い、クリーンブラシのクリーニングする角度を調整することに有利で、本設備のクリーニング範囲を拡大することを特徴とする請求項１に記載の多機能の車クリーンブラシ。
【請求項４】
前記回転動力空間の左側端壁の中には反転動力空間が設置され、前記反転動力空間の中には反転リングギヤが回転できるように設置され、前記反転動力空間の左側端壁の中には下反転伝達空間が設置され、前記下反転伝達空間と前記反転動力空間との間には左右へ伸びている反転動力軸が回転できるように設置され、前記反転動力軸が前記回転動力軸の外側端壁に回転できるように設置され、前記反転動力空間の中にある前記反転動力軸の右側末端には反転動力ギアが固定的に設置され、前記下反転伝達空間の中にある前記反転動力軸の左側末端には反転主動傘歯車が固定的に設けられ、前記下反転伝達空間の頂部端壁の中には上反転伝達空間が設置され、前記上反転伝達空間と前記下反転伝達空間との間には上下へ伸びている反転主動軸が回転できるように設置され、前記下反転伝達空間の中にある前記反転主動軸の底部末端には下反転伝達傘歯車が固定的に設置され、前記下反転伝達傘歯車と前記反転主動傘歯車とが噛み合い、前記上反転伝達空間の中にある前記反転主動軸の頂部末端には上反転伝達傘歯車が固定的に設置され、前記上反転伝達空間の左側端壁の中には反転伝達弁の中には左反転伝達空間が設置され、前記左反転伝達空間と前記上反転伝達空間との間には左右へ伸びている反転伝達軸が回転できるように設置され、前記上反転伝達空間の中にある前記反転伝達軸の右側末端には右反転伝達傘歯車が固定的に設置され、前記右反転伝達傘歯車と上反転伝達傘歯車とが噛み合い、前記左反転伝達空間 の中にある前記反転伝達軸の左側末端には左反転伝達傘歯車が固定的に設置され、前記左反転伝達空間の中には上へ伸びている反転従動軸が回転できるように設置され、前記左反転伝達空間の中にある前記反転従動軸の頂部末端には反転従動傘歯車が固定的に設置され、前記反転従動傘歯車が左反転伝達傘歯車と噛み合い。前記反転従動軸の底部末端と前記回転本体の頂部端壁とが固定的に接続され、前記回転本体の角度を反転させることに有利で、本装置のクリーニング方向を変えることを特徴とする請求項１に記載の多機能の車クリーンブラシ。
【請求項５】
前記下反転伝達空間の底部端壁の中には連接スライド空間が設置され、前記連接スライド空間と前記下反転伝達空間との間には上下へ伸びている連接動力軸が回転できるように設置され、前記下反転伝達空間の中にある前記連接動力軸の頂部末端には連接動力傘歯車が固定的に設置され、前記連接動力傘歯車と前記反転主動傘歯車とが噛合され、前記連接スライド空間の中にある前記連接動力軸の底部末端には連接カムが固定的に設置され、前記連接スライド空間の中には連接レバーが左右へスライドできるように設置され、前記連接レバーの右側末端と前記連接カムとが係合され、前記手持ちレバーの中には連接スライドブロックが左右へスライドできるように設置され、前記連接スライドブロックが前記回転マンドレルの外側端壁に回転できるように設置され、前記連接スライドブロックの右側端壁と前記手持ちレバーの左側端壁との間には圧着バネが弾力的に設置され、前記連接レバーの左側末端と前記連接スライドブロックの右側末端とが固定的に接続され、動力を本設備のクリーンブラシのところに伝達することに有利であることを特徴とする請求項１に記載の多機能の車クリーンブラシ。
【手続補正２】
【補正対象書類名】明細書
【補正対象項目名】全文
【補正方法】変更
【補正の内容】
【発明の詳細な説明】
【技術分野】
【０００１】
本発明は車設備分野に関わり、具体的には多機能の車クリーンブラシである。
【背景技術】
【０００２】
社会の発展とともに、人々の経済能力がますます良くなり、したがって自用車を持つ人が多くなり、しかし車をしばらく使用した後、車の内部には汚れやほこりが付き、車の美観に影響し、そのため、定期に車の内部と外部をクリーニングする必要がある。
目下、車の内部に対するクリーニングは清水で洗うのが多く、またクリーンブラシを利用してクリーニングし、内部に対するクリーニングのステップは煩雑で、車内部の傾斜角度が異なり、クリーニングする人はクリーニングする過程が煩雑で、クリーニング効率の比較的に低く、またクリーニング効果が良くない。
したがって、現有の技術の車クリーンブラシに対してさらなる改善を行う必要があり、それによりクリーニング効率とクリーニング効果を高める。
【先行技術文献】
【特許文献】
【０００３】
【特許文献１】中国特許出願公開第106379282号明細書
【発明の概要】
【発明が解決しようとする課題】
【０００４】
本発明は多機能の車クリーンブラシを提供し、現有の技術の上記欠点を克服し、クリーニング効率とクリーニング効果を高めることを目的とする。
【課題を解決するための手段】
【０００５】
本発明による多機能の車クリーンブラシは、手持ちレバー含み、前記手持ちレバー内で回転本体が回転できるように設置され、前記回転本体の両端には旋転本体が対称的で回転できるように設置され、ここではその片側を例として詳しく紹介し、前記旋転本体には三十六組のクリーンブラシが周方向に均等分布し設置され、前記クリーンブラシが前記旋転本体に設置され、該当装置には角度調節機構が設置され、前記角度調節機構はウォームホイールやウオームを含み、前記ウォームホイールが前記クリーンブラシ右側末端に固定的に設けられ、前記旋転本体の中には回転従動軸が回転できるように設置され、前記ウオームが前記回転従動軸の外側端壁に固定的に設けられ、前記ウオームが前記ウォームホイールと係合され、前記手持ちレバーの中にには回転動力空間が設置され、前記回転動力空間の中には角度調節動力装置が設置され、前記角度調節動力装置は回転リングギヤと回転動力ギアを含み、前記回転リングギヤが前記回転動力空間の中には設置され、前記回転リングギヤが前記回転動力空間の中に設置され、前記回転動力ギアと前記角度調節機構との間には前記クリーンブラシの角度を調節できる伝動機構が設置され、該当装置には旋転機構が設置され、前記旋転機構は旋転動力軸を含み、その中、前記回転本体の中には旋転動力空間が設置され、前記旋転動力空間の中には左右へ伸びている旋転動力軸が回転できるように設置され、前記旋転動力軸の右側末端には旋転従動傘歯車が固定的に設置され、前記旋転動力軸の左側末端と前記旋転本体の右側端壁とが固定的に接続され、その中に駆動機構は駆動モーター 及び主動力軸を含み、前記手持ちレバーの中には総合動力空間が設置され、前記主動力軸が前記総合動力空間の中に回転できるように設置され、前記駆動モーターが前記総合動力空間の右端端壁の中に固定的に設置され、前記主動力軸の右側末端と前記駆動モーターとが動力が伝達できるように接続され、前記旋転機構と前記駆動機構との間には前記旋転本体を駆動して回転させることができる伝動機構が設置される。
【０００６】
好ましくは、前記主動力軸外側端壁には旋転スリーブ軸がスライドできるように設置され、前記旋転スリーブ軸と前記主動力軸とがスプラインにより連結され、前記旋転動力空間の中にはを左右へ伸びている旋転マンドレルが回転できるように設置され、前記旋転動力空間 の中にある前記旋転マンドレルの左側末端には旋転主動傘歯車が固定に設置され、前記旋転マンドレルが前記旋転スリーブ軸との係合から離脱され、前記旋転動力空間の中には前後へ伸びている旋転伝達マンドレルが回転できるように設置され、前記旋転伝達マンドレルが前記旋転スリーブ軸との係合から離脱され、前記旋転伝達マンドレルの前側末端には旋転伝達傘歯車が固定的に設置され、前記旋転伝達傘歯車が前記旋転従動傘歯車と前記旋転主動傘歯車とが噛み合い、前記旋転動力空間の中にある前記旋転マンドレルの外側端壁には同期主動傘歯車が固定的に設置され、前記同期主動傘歯車が前記旋転主動傘歯車の右側に位置し、前記旋転動力空間の中には左右へ伸びている旋転同期伝達軸が回転できるように設置され、前記旋転同期伝達軸の左側末端には同期左伝達傘歯車が固定的に設置され、前記旋転同期伝達軸の右側末端には同期右伝達傘歯車が固定的に設置され、前記同期左伝達傘歯車と前記同期主動傘歯車とが噛み合い、右側にある前記旋転本体には同期従動傘歯車が固定的に設置され、前記同期従動傘歯車と前記同期右伝達傘歯車とが噛み合い、左右両側の前記旋転本体を駆動して回転させることに有利で、車の表面を便利にクリーニングできる。
【０００７】
好ましくは、前記旋転本体の中には回転調節空間が設置され、前記回転調節空間の底端端壁の中には調節伝達空間が設置され、前記調節伝達空間と前記回転調節空間との間には上下へ伸びている回転主動軸が回転できるように設置され、前記回転調節空間の中にある前記回転主動軸の頂部末端には上回転伝達傘歯車が固定的に設置され、前記回転調節空間の中にある前記回転従動軸の右側末端には回転従動傘歯車が固定的に設置され、前記回転従動傘歯車と前記上回転伝達傘歯車とが噛み合い、前記調節伝達空間の中にある前記回転主動軸の右側末端には下回転伝達傘歯車が固定的に設置され、前記調節伝達空間と前記旋転動力空間との間には左右へ伸びている回転入力軸を回転できるように設置され、前記調節伝達空間の中にある前記回転入力軸の左側末端には回転主動傘歯車が固定的に設置され、前記回転主動傘歯車と前記下回転伝達傘歯車とが噛み合い、前記旋転動力空間の中にある前記回転入力軸の右側末端には回転従動プーリが固定的に設置され、前記旋転動力空間の中には左右へ伸びている回転出力軸が回転できるように設置され、前記同期従動傘歯車が前記回転出力軸の外側端壁に回転できるように設置され、前記回転出力軸の右側末端には回転スリーブブロックが固定的に設置され、前記旋転動力空間の中にある前記回転出力軸の左側末端には回転主動プーリが固定的に設置され、前記旋転動力空間の中には左右へ伸びている回転伝達軸が回転できるように設置され、前記回転伝達軸の左側末端には左回転伝達プーリが固定的に設置され、前記左回転伝達プーリと前記回転従動プーリとの間には左回転ベルトが伝動できるように設置され、前記回転伝達軸の右側末端には右回転伝達プーリが固定的に設置され、前記右回転伝達プーリと前記回転主動プーリとの間には右回転ベルトが伝動できるように設置され、前記総合動力空間の中には左右へ伸びている回転スリーブ軸が回転できるように設置され、前記総合動力空間の中にある前記回転スリーブ軸の右側末端には回転従動ギアが固定的に設置され、前記回転スリーブ軸の中には回転マンドレルが左右へスライドできるように設置され、前記回転マンドレルが前記旋転スリーブ軸の外側端壁に設置され、前記回転マンドレルと前記回転スリーブ軸とがスプラインにより連結され、前記回転スリーブ軸が前記回転スリーブブロックとの係合から離脱され、前記総合動力空間と前記回転動力空間との間には左右へ伸びている回転動力軸が回転できるように設置され、前記回転動力空間の中にある前記回転動力軸の右側末端と前記回転動力ギアとが固定的に接続され、前記総合動力空間の中にある前記回転動力軸の左側末端には回転主動ギアが固定的に設置され、前記回転主動ギアと前記回転従動ギアとが噛み合い、クリーンブラシのクリーニングする角度を調整することに有利で、本設備のクリーニング範囲を拡大する。
【０００８】
好ましくは、前記回転動力空間の左側端壁の中には反転動力空間が設置され、前記反転動力空間の中には反転リングギヤが回転できるように設置され、前記反転動力空間の左側端壁の中には下反転伝達空間が設置され、前記下反転伝達空間と前記反転動力空間との間には左右へ伸びている反転動力軸が回転できるように設置され、前記反転動力軸が前記回転動力軸の外側端壁に回転できるように設置され、前記反転動力空間の中にある前記反転動力軸の右側末端には反転動力ギアが固定的に設置され、前記下反転伝達空間の中にある前記反転動力軸の左側末端には反転主動傘歯車が固定的に設けられ、前記下反転伝達空間の頂部端壁の中には上反転伝達空間が設置され、前記上反転伝達空間と前記下反転伝達空間との間には上下へ伸びている反転主動軸が回転できるように設置され、前記下反転伝達空間の中にある前記反転主動軸の底部末端には下反転伝達傘歯車が固定的に設置され、前記下反転伝達傘歯車と前記反転主動傘歯車とが噛み合い、前記上反転伝達空間の中にある前記反転主動軸の頂部末端には上反転伝達傘歯車が固定的に設置され、前記上反転伝達空間の左側端壁の中には反転伝達弁の中には左反転伝達空間が設置され、前記左反転伝達空間と前記上反転伝達空間との間には左右へ伸びている反転伝達軸が回転できるように設置され、前記上反転伝達空間の中にある前記反転伝達軸の右側末端には右反転伝達傘歯車が固定的に設置され、前記右反転伝達傘歯車と上反転伝達傘歯車とが噛み合い、前記左反転伝達空間 の中にある前記反転伝達軸の左側末端には左反転伝達傘歯車が固定的に設置され、前記左反転伝達空間の中には上へ伸びている反転従動軸が回転できるように設置され、前記左反転伝達空間の中にある前記反転従動軸の頂部末端には反転従動傘歯車が固定的に設置され、前記反転従動傘歯車が左反転伝達傘歯車と噛み合い。前記反転従動軸の底部末端と前記回転本体の頂部端壁とが固定的に接続され、前記回転本体の角度を反転させることに有利で、本装置のクリーニング方向を変える。
【０００９】
好ましくは、前記下反転伝達空間の底部端壁の中には連接スライド空間が設置され、前記連接スライド空間と前記下反転伝達空間との間には上下へ伸びている連接動力軸が回転できるように設置され、前記下反転伝達空間の中にある前記連接動力軸の頂部末端には連接動力傘歯車が固定的に設置され、前記連接動力傘歯車と前記反転主動傘歯車とが噛合され、前記連接スライド空間の中にある前記連接動力軸の底部末端には連接カムが固定的に設置され、前記連接スライド空間の中には連接レバーが左右へスライドできるように設置され、前記連接レバーの右側末端と前記連接カムとが係合され、前記手持ちレバーの中には連接スライドブロックが左右へスライドできるように設置され、前記連接スライドブロックが前記回転マンドレルの外側端壁に回転できるように設置され、前記連接スライドブロックの右側端壁と前記手持ちレバーの左側端壁との間には圧着バネが弾力的に設置され、前記連接レバーの左側末端と前記連接スライドブロックの右側末端とが固定的に接続され、動力を本設備のクリーンブラシのところに伝達することに有利である。
【発明の効果】
【００１０】
該当設備は全体の構造から見ればより合理で巧妙であり、取り付けと、メンテナンスと点検修理とがいずれも非常に便利で、そしてこの装置は回転機構と反転機構を利用し、装置のクリーニング角度及びクリーニング方向を調整でき、この装置のクリーニング範囲を広められ、本装置のクリーニング効果を高めるため、この装置は高い使用と普及される価値がある。
【図面の簡単な説明】
【００１１】
発明の実施例または既存の技術の中の技術方案をより詳しく説明できるため、下記には実施例または既存の技術を説明することに必要な付図に対して簡単に紹介し、明らかなように、下記に記載の付図はただ発明の一部分の実施例であり、当業者にとって、創造的な労働を払わなくても、これらの付図に基づいて他の付図を獲得することができる。
【００１２】
【図１】図１は本発明の多機能の車クリーンブラシの総体構造概略図である。
【図２】図２は図１のAのところの構造概略図である。
【図３】図３は図２のBのところの構造概略図である。
【発明を実施するための形態】
【００１３】
相互排斥する特徴またはステップ以外に、本説明書に公開したすべての特徴、若しくは公開したすべての方法または過程中のステップはいずれもあらゆる方式で組み合わせることができる。
【００１４】
本説明書に公開したすべての特徴は、特別な説明を除き、いずれも他の同等または類似の目的がある代わり特徴に代われることができ、即ち、特別な説明を除き、全ての特徴はただ一連の同等のまたは類似の特徴の中の一例である。
【００１５】
本発明の叙述では、理解が必要なのは、「中心」、「縦」、「横」、「長さ」、「広さ」、「厚さ」、「上」、「下」、「前」、「後」、「右」、「左」、「鉛直」、「水平」、「頂」、「底」、「内」と「外」、「時計回り」、「逆時計回り」などの用語が指示された方位や位置関係は付図に基づいての方位や位置関係であり、本発明の叙述に便利でまた描写の簡素化だけのため、示す設備又は部品は特定の方位があり、特定された方位で組み立てされまた操作されることではなく、したがって、本発明を限定するものと理解できない。
【００１６】
図1ー3のとおり、本発明は多機能の車クリーンブラシであり、手持ちレバー143含み、前記手持ちレバー143内で回転本体142が回転できるように設置され、前記回転本体142の両端には旋転本体141が対称的で回転できるように設置され、ここではその片側を例として詳しく紹介し、前記旋転本体141には三十六組のクリーンブラシ111が周方向に均等分布し設置され、前記クリーンブラシ111が前記旋転本体141に設置され、該当装置には角度調節機構が設置され、前記角度調節機構はウォームホイール112やウオーム113を含み、前記ウォームホイール112が前記クリーンブラシ111右側末端に固定的に設けられ、前記旋転本体141の中には回転従動軸147が回転できるように設置され、前記ウオーム113が前記回転従動軸147の外側端壁に固定的に設けられ、前記ウオーム113が前記ウォームホイール112と係合され、前記手持ちレバー143の中にには回転動力空間179が設置され、前記回転動力空間179の中には角度調節動力装置が設置され、前記角度調節動力装置は回転リングギヤ130と回転動力ギア131を含み、前記回転リングギヤ130が前記回転動力空間179の中には設置され、前記回転リングギヤ130が前記回転動力空間179の中に設置され、前記回転動力ギア131と前記角度調節機構との間には前記クリーンブラシ111の角度を調節できる伝動機構が設置され、該当装置には旋転機構が設置され、前記旋転機構は旋転動力軸155を含み、その中、前記回転本体142の中には旋転動力空間170が設置され、前記旋転動力空間170の中には左右へ伸びている旋転動力軸155が回転できるように設置され、前記旋転動力軸155の右側末端には旋転従動傘歯車157が固定的に設置され、前記旋転動力軸155の左側末端と前記旋転本体141の右側端壁とが固定的に接続され、その中に駆動機構は駆動モーター 137及び主動力軸138を含み、前記手持ちレバー143の中には総合動力空間176が設置され、前記主動力軸138が前記総合動力空間176の中に回転できるように設置され、前記駆動モーター137が前記総合動力空間176の右端端壁の中に固定的に設置され、前記主動力軸138の右側末端と前記駆動モーター137とが動力が伝達できるように接続され、前記旋転機構と前記駆動機構との間には前記旋転本体141を駆動して回転させることができる伝動機構が設置される。
【００１７】
有益なように、図1−図3を参照して本申請の旋転機構を詳しく紹介し、その中、前記主動力軸138外側端壁には旋転スリーブ軸174がスライドできるように設置され、前記旋転スリーブ軸174と前記主動力軸138とがスプラインにより連結され、前記旋転動力空間170の中にはを左右へ伸びている旋転マンドレル181が回転できるように設置され、前記旋転動力空間170 の中にある前記旋転マンドレル181の左側末端には旋転主動傘歯車160が固定に設置され、前記旋転マンドレル181が前記旋転スリーブ軸174との係合から離脱され、前記旋転動力空間170の中には前後へ伸びている旋転伝達マンドレル158が回転できるように設置され、前記旋転伝達マンドレル158が前記旋転スリーブ軸174との係合から離脱され、前記旋転伝達マンドレル158の前側末端には旋転伝達傘歯車159が固定的に設置され、前記旋転伝達傘歯車159が前記旋転従動傘歯車157と前記旋転主動傘歯車160とが噛み合い、前記旋転動力空間170の中にある前記旋転マンドレル181の外側端壁には同期主動傘歯車162が固定的に設置され、前記同期主動傘歯車162が前記旋転主動傘歯車160の右側に位置し、前記旋転動力空間170の中には左右へ伸びている旋転同期伝達軸163が回転できるように設置され、前記旋転同期伝達軸163の左側末端には同期左伝達傘歯車161が固定的に設置され、前記旋転同期伝達軸163の右側末端には同期右伝達傘歯車165が固定的に設置され、前記同期左伝達傘歯車161と前記同期主動傘歯車162とが噛み合い、右側にある前記旋転本体141には同期従動傘歯車166が固定的に設置され、前記同期従動傘歯車166と前記同期右伝達傘歯車165とが噛み合い、左右両側の前記旋転本体141を駆動して回転させることに有利で、車の表面を便利にクリーニングできる。
【００１８】
有益なように、図1−図3を参照して本申請の角度調節機構を詳しく紹介し、その中、前記旋転本体141の中には回転調節空間145が設置され、前記回転調節空間145の底端端壁の中には調節伝達空間172が設置され、前記調節伝達空間172と前記回転調節空間145との間には上下へ伸びている回転主動軸148が回転できるように設置され、前記回転調節空間145の中にある前記回転主動軸148の頂部末端には上回転伝達傘歯車144が固定的に設置され、前記回転調節空間145の中にある前記回転従動軸147の右側末端には回転従動傘歯車146が固定的に設置され、前記回転従動傘歯車146と前記上回転伝達傘歯車144とが噛み合い、前記調節伝達空間172の中にある前記回転主動軸148の右側末端には下回転伝達傘歯車152が固定的に設置され、前記調節伝達空間172と前記旋転動力空間170との間には左右へ伸びている回転入力軸154を回転できるように設置され、前記調節伝達空間172の中にある前記回転入力軸154の左側末端には回転主動傘歯車153が固定的に設置され、前記回転主動傘歯車153と前記下回転伝達傘歯車152とが噛み合い、前記旋転動力空間170の中にある前記回転入力軸154の右側末端には回転従動プーリ156が固定的に設置され、前記旋転動力空間170の中には左右へ伸びている回転出力軸167が回転できるように設置され、前記同期従動傘歯車166が前記回転出力軸167の外側端壁に回転できるように設置され、前記回転出力軸167の右側末端には回転スリーブブロック168が固定的に設置され、前記旋転動力空間170の中にある前記回転出力軸167の左側末端には回転主動プーリ164が固定的に設置され、前記旋転動力空間170の中には左右へ伸びている回転伝達軸150が回転できるように設置され、前記回転伝達軸150の左側末端には左回転伝達プーリ149が固定的に設置され、前記左回転伝達プーリ149と前記回転従動プーリ156との間には左回転ベルト151が伝動できるように設置され、前記回転伝達軸150の右側末端には右回転伝達プーリ171が固定的に設置され、前記右回転伝達プーリ171と前記回転主動プーリ164との間には右回転ベルト169が伝動できるように設置され、前記総合動力空間176の中には左右へ伸びている回転スリーブ軸175が回転できるように設置され、前記総合動力空間176の中にある前記回転スリーブ軸175の右側末端には回転従動ギア178が固定的に設置され、前記回転スリーブ軸175の中には回転マンドレル173が左右へスライドできるように設置され、前記回転マンドレル173が前記旋転スリーブ軸174の外側端壁に設置され、前記回転マンドレル173と前記回転スリーブ軸175とがスプラインにより連結され、前記回転スリーブ軸175が前記回転スリーブブロック168との係合から離脱され、前記総合動力空間176と前記回転動力空間179との間には左右へ伸びている回転動力軸127が回転できるように設置され、前記回転動力空間179の中にある前記回転動力軸127の右側末端と前記回転動力ギア131とが固定的に接続され、前記総合動力空間176の中にある前記回転動力軸127の左側末端には回転主動ギア177が固定的に設置され、前記回転主動ギア177と前記回転従動ギア178とが噛み合い、クリーンブラシ111のクリーニングする角度を調整することに有利で、本設備のクリーニング範囲を拡大する。
【００１９】
有益なように、図1ー図3を参考して本申請の反転機構を詳しく紹介し、この中、前記回転動力空間179の左側端壁の中には反転動力空間180が設置され、前記反転動力空間180の中には反転リングギヤ128が回転できるように設置され、前記反転動力空間180の左側端壁の中には下反転伝達空間124が設置され、前記下反転伝達空間124と前記反転動力空間180との間には左右へ伸びている反転動力軸126が回転できるように設置され、前記反転動力軸126が前記回転動力軸127の外側端壁に回転できるように設置され、前記反転動力空間180の中にある前記反転動力軸126の右側末端には反転動力ギア129が固定的に設置され、前記下反転伝達空間124の中にある前記反転動力軸126の左側末端には反転主動傘歯車125が固定的に設けられ、前記下反転伝達空間124の頂部端壁の中には上反転伝達空間120が設置され、前記上反転伝達空間120と前記下反転伝達空間124との間には上下へ伸びている反転主動軸122が回転できるように設置され、前記下反転伝達空間124の中にある前記反転主動軸122の底部末端には下反転伝達傘歯車123が固定的に設置され、前記下反転伝達傘歯車123と前記反転主動傘歯車125とが噛み合い、前記上反転伝達空間120の中にある前記反転主動軸122の頂部末端には上反転伝達傘歯車121が固定的に設置され、前記上反転伝達空間120の左側端壁の中には反転伝達弁の中には左反転伝達空間116が設置され、前記左反転伝達空間116と前記上反転伝達空間120との間には左右へ伸びている反転伝達軸118が回転できるように設置され、前記上反転伝達空間120の中にある前記反転伝達軸118の右側末端には右反転伝達傘歯車119が固定的に設置され、前記右反転伝達傘歯車119と上反転伝達傘歯車121とが噛み合い、前記左反転伝達空間116 の中にある前記反転伝達軸118の左側末端には左反転伝達傘歯車117が固定的に設置され、前記左反転伝達空間116の中には上へ伸びている反転従動軸114が回転できるように設置され、前記左反転伝達空間116の中にある前記反転従動軸114の頂部末端には反転従動傘歯車115が固定的に設置され、前記反転従動傘歯車115が左反転伝達傘歯車117と噛み合い。前記反転従動軸114の底部末端と前記回転本体142の頂部端壁とが固定的に接続され、前記回転本体142の角度を反転させることに有利で、本装置のクリーニング方向を変える。
【００２０】
有益なように、図1ー図3を参考して本申請の連接機構を詳しく紹介し、この中、前記下反転伝達空間124の底部端壁の中には連接スライド空間135が設置され、前記連接スライド空間135と前記下反転伝達空間124との間には上下へ伸びている連接動力軸133が回転できるように設置され、前記下反転伝達空間124の中にある前記連接動力軸133の頂部末端には連接動力傘歯車132が固定的に設置され、前記連接動力傘歯車132と前記反転主動傘歯車125とが噛合され、前記連接スライド空間135の中にある前記連接動力軸133の底部末端には連接カム134が固定的に設置され、前記連接スライド空間135の中には連接レバー136が左右へスライドできるように設置され、前記連接レバー136の右側末端と前記連接カム134とが係合され、前記手持ちレバー143の中には連接スライドブロック139が左右へスライドできるように設置され、前記連接スライドブロック139が前記回転マンドレル173の外側端壁に回転できるように設置され、前記連接スライドブロック139の右側端壁と前記手持ちレバー143の左側端壁との間には圧着バネ184が弾力的に設置され、前記連接レバー136の左側末端と前記連接スライドブロック139の右側末端とが固定的に接続され、動力を本設備のクリーンブラシのところに伝達することに有利である。
【００２１】
下記に、出願人は図1 −3と上記に記載の本願の多機能の車クリーンブラシの具体的な構成を参考してクリーン・ブラシの使用ステップを詳しく紹介する：まず、初期状態にある時、前記連接カム134が前記連接レバー136との係合から離脱され、前記連接スライドブロック 139と右側にある前記旋転本体141とが係合され、前記旋転マンドレル181と前記旋転スリーブ軸174とが係合され、前記回転マンドレル173と前記回転スリーブブロック168とが係合される;
【００２２】
該当装置を使う時、前記駆動モーター137が作動し始め、前記駆動モーター137が前記主動力軸138を駆動して回転させ、前記主動力軸138が前記旋転スリーブ軸174を駆動して回転させ、前記旋転スリーブ軸174が前記旋転マンドレル181を駆動して回転させ、前記旋転マンドレル181が前記旋転主動傘歯車160を駆動して回転させ、前記旋転主動傘歯車160が前記旋転伝達傘歯車159を駆動して回転させ、前記旋転伝達傘歯車159が前記旋転従動傘歯車157を駆動して回転させ、前記旋転従動傘歯車157が前記旋転動力軸155を駆動して回転させ、前記旋転動力軸155が前旋転本体141を駆動して回転させ、それと同時に、前記旋転マンドレル181が前記同期主動傘歯車162を駆動して回転させ、前記同期主動傘歯車162が前記同期左伝達傘歯車161を駆動して回転させ、前記同期左伝達傘歯車161が前記旋転同期伝達軸163を駆動して回転させ、前記旋転同期伝達軸163が前記同期右伝達傘歯車165を駆動して回転させ、前記同期右伝達傘歯車165が前記同期従動傘歯車166を駆動して回転させ、前記同期従動傘歯車166が右側の前記旋転本体141を駆動して回転させ、前記旋転本体141が車の表面をクリーニングする。
【００２３】
クリーンブラシの角度を変える時に、使用者は前記回転リングギヤ130を回転させ、前記回転リングギヤ130が前記回転動力ギア131を駆動して回転させ、前記回転動力ギア131が前記回転動力軸127を駆動して回転させ、前記回転動力軸127が前記回転主動ギア177を駆動して回転させ、前記回転主動ギア177が前記回転従動ギア178を駆動して回転させ、前記回転従動ギア178が前記回転スリーブ軸175を駆動して回転させ、前記回転スリーブ軸175が前記回転マンドレル173を駆動して回転させ、前記回転マンドレル173が前記回転スリーブブロック168を駆動して回転させ、前記回転スリーブブロック168が前記回転出力軸167を駆動して回転させ、前記回転出力軸167が前記回転主動プーリ164を駆動して回転させ、前記回転主動プーリ164が前記右回転伝達プーリ171を駆動して回転させ、前記右回転伝達プーリ171が前記回転伝達軸150を駆動して回転させ、前記回転伝達軸150が前記左回転伝達プーリ149を駆動して回転させ、前記左回転伝達プーリ149が前記回転従動プーリ156を駆動して回転させ、前記回転従動プーリ156が前記回転入力軸154を駆動して回転させ、前記回転入力軸154が前記回転主動傘歯車153を駆動して回転させ、前記回転主動傘歯車153が前記下回転伝達傘歯車152を駆動して回転させ、前記下回転伝達傘歯車152が前記回転主動軸148を駆動して回転させ、前記回転主動軸148が前記上回転伝達傘歯車144を駆動して回転させ、前記上回転伝達傘歯車144が前記回転従動傘歯車146を駆動して回転させ、前記回転従動傘歯車146が前記回転従動軸147を駆動して回転させ、前記回転従動軸147が前記ウオーム113を駆動して回転させ、前記ウオーム113が前記ウォームホイール112を駆動して回転させ、前記ウォームホイール112がクリーンブラシ111を駆動して回転させ、クリーンブラシのクリーニング角度を変える。
【００２４】
クリーンブラシを反転する時に、使用者が前記反転リングギヤ128を回転させ、前記反転リングギヤ128が前記反転動力ギア129を駆動して回転させ、前記反転動力ギア129が前記反転動力軸126を駆動して回転させ、前記反転動力軸126が前記反転主動傘歯車125を駆動して回転させ、前記反転主動傘歯車125が前記連接動力傘歯車132を駆動して回転させ、前記連接動力傘歯車132が前記連接動力軸133を駆動して回転させ、前記連接動力軸133が前記連接カム軸134を駆動して回転させ、前記連接カム134と前記連接レバー136とが係合され、前記連接カム134が前記連接レバー136を連動させて右側へスライドさせ、前記連接レバー136が前記スライドブロック139を連動させて右側へスライドさせ、前記連接スライドブロック139が旋転本体141との係合から離脱され、前記連接スライドブロック139が前記回転マンドレル173及び前記旋転スリーブ軸174を連動させて右側にスライドさせ、前記回転マンドレル173が前記回転スリーブブロック168との係合から離脱され、前記旋転スリーブ軸174が前記旋転マンドレル181との係合から離脱され、それと同時に、前記反転主動傘歯車125が前記下反転伝達傘歯車123を駆動して回転させ、前記下反転伝達傘歯車123が前記反転主動軸122を駆動して回転させ、前記反転主動軸122が前記上反転伝達傘歯車121を駆動して回転させ、前記上反転伝達傘歯車121が前記右反転伝達傘歯車119を駆動して回転させ、前記右反転伝達傘歯車119が前記反転伝達軸118を駆動して回転させ、前記反転伝達軸118が前記反転従動傘歯車115を駆動して回転させ、前記反転従動傘歯車115が前記反転従動軸114を駆動して回転させ、前記反転従動軸114が前記回転本体142を駆動して回転させ、前記回転本体142が前記旋転本体141を駆動して回転させ、前記回転本体142 を九十度に回転させた時、前記連接カム134が前記連接レバー136との係合から離脱され、前記連接スライドブロック139が前記連接圧着バネ184の弾力エネルギーの作用により左側へスライドし、前記連接スライドブロック139が前記回転マンドレル173と前記旋転スリーブ軸174とを連動させて左側へスライドさせ、前記連接スライドブロック139と前記回転本体142とが係合され、前記旋転スリーブ軸174と前記旋転伝達マンドレル158とが係合され、本装置のクリーニング方向を変える。
【００２５】
上記の詳細な分析から見るとわかるのは：回転機構がクリーンブラシの角度を手動で調整することによって、クリーニング効果が向上し、また反転機構を利用でき、操作者が手動で該当装置のクリーニング方向を調整でき、該当装置のクリーニング範囲を広められる。
【００２６】
したがって、本申請の方法は全体の構造から見ればより合理で巧妙であり、取り付けと、メンテナンスと点検修理とがいずれも非常に便利で、そしてこの装置は回転機構と反転機構を利用し、装置のクリーニング角度及びクリーニング方向を調整でき、この装置のクリーニング範囲を広められ、本装置のクリーニング効果を高めるため、この装置は高い使用と普及される価値がある。
【００２７】
上記の記載は、ただ発明の具体的な実施方式であり、しかし発明の保護範囲はこれに限定されたものではなく、創造的な労働を通さなく想到できる全ての変化又は入れ替わりは、本発明の保護範囲の中に含む。したがって、発明の保護範囲は請求項に限定した保護範囲を基準とするべきである。